(57)【要約】【課題】電子装置、ディスプレイ制御システム、及び電子装置のディスプレイユニットの動作を制御するための方法を提供する。【解決手段】この方法は、ディスプレイコントローラによって表示信号を生成することを含む。表示信号は、ディスプレイユニットによって解釈され、表示信号のコンテンツをディスプレイユニットのディスプレイパネルに表示する。表示信号のコンテンツは既知のデータパターンと比較される。ディスプレイユニットは、既知のデータパターンが表示信号中に検出された場合に、既知のデータパターンに対応する動作パラメータに従って制御される。【選択図】図１
2020052384.tif 000002
【特許請求の範囲】
【請求項１】
電子装置のディスプレイユニットの動作を制御する方法であって、
ディスプレイコントローラによって表示信号を生成することと、
前記ディスプレイユニットによって前記表示信号を解釈して、前記表示信号のコンテンツを前記ディスプレイユニットのディスプレイパネルに表示することと、
前記表示信号の前記コンテンツと既知のデータパターンとを比較することと、
前記既知のデータパターンが前記表示信号中に検出された場合、前記既知のデータパターンに対応する動作パラメータに従って前記ディスプレイユニットを動作させることとを含む、方法。
【請求項２】
前記表示信号が、前記コンテンツの複数の個別のフレームに関するデータを含み、前記比較することが、１つ又はそれ以上の前記フレームを前記既知のデータパターンと比較することを含む、請求項１に記載の方法。
【請求項３】
連続した順序で予め設定された数の前記フレームが前記既知のデータパターンを含む場合にのみ、前記動作させることが発生する、請求項２に記載の方法。
【請求項４】
前記既知のデータパターンが検出されない前記表示信号の部分で前記動作させることが止まる、請求項１に記載の方法。
【請求項５】
前記動作パラメータが、前記ディスプレイパネルを照明するように構成されたバックライトの輝度レベルに関する、請求項１に記載の方法。
【請求項６】
前記既知のデータパターンが、完全にブランク又は黒のディスプレイに対応する、請求項５に記載の方法。
【請求項７】
動作パラメータに従って前記ディスプレイユニットを動作させることが、前記既知のデータパターンが検出されたときに前記バックライトをオフにすることを含む、請求項６に記載の方法。
【請求項８】
前記既知のデータパターンが、すべてゼロの配列を含む、請求項６に記載の方法。
【請求項９】
前記動作パラメータに従って前記ディスプレイユニットを動作させることは、前記表示信号が任意の非ゼロ値を含む前記表示信号の部分で前記バックライトをオンにすることを含む、請求項８に記載の方法。
【請求項１０】
前記動作させることは、前記既知のデータパターンが検出された前記表示信号の部分で、前記バックライトの前記輝度レベルを増加させることを含む、請求項５に記載の方法。
【請求項１１】
前記比較することは、前記ディスプレイコントローラによって実行され、前記動作させることは、製品コントローラによって実行される、請求項１に記載の方法。
【請求項１２】
前記ディスプレイコントローラの検出論理は、前記比較することを実行し、前記方法は、前記比較の結果を前記製品コントローラに通信することを更に含む、請求項１１に記載の方法。
【請求項１３】
前記通信することは、オペレーティングシステムのシステムファイルを変更すること、及び前記製品コントローラによって前記システムファイルを読み出すことを含み、前記システムファイルは、前記動作パラメータに関する命令を含む、請求項１２に記載の方法。
【請求項１４】
ディスプレイユニットであって、
前記ディスプレイユニットによって受信された、ディスプレイコントローラからの表示信号を解釈し、前記表示信号のコンテンツを表示するように構成されたディスプレイパネルと、
前記ディスプレイパネルを通して発光し、既知のデータパターンが前記コンテンツ中に検出された場合に前記既知のデータパターンに対応する輝度レベルで動作するように構成されたバックライトとを備える、ディスプレイユニット。
【請求項１５】
表示信号を生成するように構成されたディスプレイコントローラと、
ディスプレイパネル及びバックライトを備えるディスプレイユニットであって、前記表示信号を解釈して前記表示信号のコンテンツを前記ディスプレイパネルに表示するように構成されている、ディスプレイユニットと、
前記表示信号と既知のデータパターンとを比較するように構成された検出論理と、
前記既知のデータパターンが検出論理によって前記表示信号中に検出されると、前記既知のデータパターンに対応する動作パラメータに従ってバックライトの動作を制御するように構成された製品コントローラとを備える、電子ディスプレイ制御システム。
【請求項１６】
前記既知のデータパターンは、ブランク、無、又は全黒として表示される前記コンテンツに対応している、請求項１５に記載の電子ディスプレイ制御システム。
【請求項１７】
前記製品コントローラは、前記既知のデータパターンが検出された前記表示信号の部分でバックライトをオフにするように構成されている、請求項１６に記載の電子ディスプレイ制御システム。
【請求項１８】
前記ディスプレイパネルは、液晶ディスプレイパネルである、請求項１５に記載の電子ディスプレイ制御システム。
【請求項１９】
請求項１５に記載の前記制御システムを備える電子装置。
【請求項２０】
前記電子装置は、ステレオ又はラウドスピーカシステムを含む、請求項１９に記載の電子装置。
【発明の詳細な説明】
【背景技術】
【０００１】
本開示は、電子装置用のディスプレイユニット及び関連する装置及び方法に関し、詳細には、バックライト付きディスプレイパネルを有するディスプレイユニットに関する。
【発明の概要】
【０００２】
下記のすべての例及び特徴は、技術的に可能な任意のやり方で組み合わせることができる。
【０００３】
一態様では、電子装置のディスプレイユニットの動作を制御する方法が提供される。この方法は、ディスプレイコントローラによって表示信号を生成することと、ディスプレイユニットによって表示信号を解釈して、表示信号のコンテンツをディスプレイユニットのディスプレイパネルに表示することと、表示信号のコンテンツと既知のデータパターンとを比較することと、既知のデータパターンが表示信号中に検出された場合、既知のデータパターンに対応する動作パラメータに従ってディスプレイユニットを動作させることとを含む。
【０００４】
一例では、表示信号は、コンテンツに対する複数の個別のフレームに関するデータを含み、比較することは、１つ又はそれ以上のフレームと既知のデータパターンとを比較することを含む。一例では、連続した順序で予め設定された数のフレームが既知のデータパターンを含む場合にのみ動作させることが発生する。一例では、既知のデータパターンが検出されない表示信号の部分において、動作させることが止まる。
【０００５】
一例では、動作パラメータは、ディスプレイパネルを照明するように構成されたバックライトの輝度レベルに関する。一例では、既知のデータパターンは、完全にブランクのディスプレイ又は完全に黒のディスプレイに対応する。一例では、動作パラメータに従ってディスプレイユニットを動作させることは、既知のデータパターンが検出されたときにバックライトをオフにすることを含む。一例では、既知のデータパターンはすべてゼロの配列を含む。一例では、動作パラメータに従ってディスプレイユニットを動作させることは、表示信号が、任意の非ゼロ値を含む表示信号の部分でバックライトをオンにすることを含む。
【０００６】
一例では、動作させることは、既知のデータパターンが検出された表示信号の部分で、バックライトの輝度レベルを増加させることを含む。一例では、比較することはディスプレイコントローラによって実行され、動作させることは製品コントローラによって実行される。一例では、ディスプレイコントローラの検出論理は、比較することを実行し、この方法は、比較の結果を製品コントローラに通信することを更に含む。一例では、通信することは、オペレーティングシステムのシステムファイルを変更し、製品コントローラによってシステムファイルを読み出すことを含み、システムファイルは、動作パラメータに関する命令を含む。
【０００７】
一態様では、ディスプレイユニットが提供される。ディスプレイユニットは、ディスプレイユニットによって受信された、ディスプレイコントローラからの表示信号を解釈し、表示信号のコンテンツを表示するように構成されたディスプレイパネルと、ディスプレイパネルを通して発光するように、及び既知のデータパターンがコンテンツ中に検出された場合に、既知のデータパターンに対応する輝度レベルで動作するように構成されたバックライトとを含む。
【０００８】
別の態様では、電子ディスプレイ制御システムが提供される。この制御システムは、表示信号を生成するように構成されたディスプレイコントローラと、ディスプレイパネル及びバックライトを含むディスプレイユニットであって、表示信号を解釈して表示信号のコンテンツをディスプレイパネルに表示するように構成された、ディスプレイユニットと、表示信号と既知のデータパターンとを比較するように構成された検出論理と、表示信号中に既知のデータパターンが検出論理によって検出されると、既知のデータパターンに対応する動作パラメータに従ってバックライトの動作を制御するように構成された製品コントローラとを備える。
【０００９】
一例では、既知のデータパターンは、ブランク、無、又は全黒として表示されるコンテンツに対応する。一例では、製品コントローラは、既知のデータパターンが検出された表示信号の部分でバックライトをオフにするように構成されている。一例では、ディスプレイパネルは液晶ディスプレイパネルである。
【００１０】
一態様では、本明細書に開示される例に従った制御システムを含む電子装置が提供される。一例では、電子装置はステレオ又はラウドスピーカシステムを含む。
【図面の簡単な説明】
【００１１】
【図１】本明細書に開示された一例による、電子装置の表示及び制御構成要素のブロック図である。
【００１２】
【図２】本明細書に開示された一例による、電子装置のディスプレイを制御する方法を示すフロー図である。
【発明を実施するための形態】
【００１３】
本開示は、電子装置のディスプレイユニットの動作を制御するための様々なシステム及び方法を示し、より具体的には、ディスプレイユニットに送られた表示信号のコンテンツ中に既知のデータパターンが検出された場合に、ディスプレイパネル用バックライトを動作させるための様々なシステム及び方法を示す。
【００１４】
スピーカシステム又は他のオーディオ機器などの多くの電子装置は、ユーザに情報を視覚的に通信するためのディスプレイパネルを含む。例えば、無線制御のスピーカシステムは、ディスプレイパネルを含むことができ、このディスプレイパネルは、インターネット、例えばウェブサイト、グラフィックス、画像、テキスト、オーディオファイルのストリーミング又は再生に関するメタデータなどから得られる情報をスピーカシステムに表示させることができる。液晶ディスプレイ（liquid crystal display、ＬＣＤ）などの特定のディスプレイパネルの種類は、ＬＣＤパネルは自ら照明を提供しないので、バックライト照明の恩恵を受ける。バックライト照明では、ＬＣＤパネルを通して光を発光するバックライト組立体が設けられている。
【００１５】
バックライト付きディスプレイパネルを有する電子装置では、電子装置が使用されていないときに、及び／又はディスプレイパネルの使用が望ましくないときに、バックライトがオフにされることが好ましい。例えば、周囲光が明るくない条件下で電子装置を使用する場合、一部のユーザにとってはバックライト発光の光は、たとえかなり低い輝度レベルで設定されていたとしても、ブランク画面又は全黒画面を表示するディスプレイパネルには、望ましくない場合がある。
【００１６】
１つの可能性として、待機モードのときは、表示すべきウェブベースの情報がないので、電子装置が、ネットワーク待機モードにあるかどうかに基づいて、バックライトをオン及びオフにすることが挙げられる。例えば、この待機モードでは、インターネット又は他のネットワークに対する接続はディスエーブルされる。しかしながら、ネットワーク待機中にバックライトをオフにすることで、ユーザが電子装置の音量又は他の設定を調節しようとするときに、音量バーのグラフィック又はメニューといった他の非ネットワーク関連情報を見ることができなくなってしまう。また、ネットワーク待機モード時にのみバックライトを動作させることは、ディスプレイパネルを必要としない場合の他のモードでは、消費電力を低減させることができない。
【００１７】
本明細書に記載されるように、電子装置は、ディスプレイユニットへの表示信号と、１つ又はそれ以上の既知のデータパターンとを比較する検出論理で構成されている。例えば、既知のデータパターンは、すべてゼロの配列、又はディスプレイパネルに無（例えば、ブランク画面又は全黒画面）を表示するように命令されていることに相応する他のパターンからなることができる。既知のデータパターンが検出されたときに、次に、それに応じて、ディスプレイユニットの動作パラメータを設定することができる。例えば、表示信号がディスプレイパネルにブランク画面又は全黒画面を表示するように指示していることを検出した場合、バックライトをオフにし、及び／又は、このパターンが検出されない場合、オンにすることができる。
【００１８】
図１は、ディスプレイユニット１２を有する電子装置１００の制御システム１０を示す。例えば、電子装置１００は、ステレオ、玩具、子供用モニタ、電化製品、又は埋め込まれた電子モニタ、集積化電子モニタ又は取り付けられた電子モニタ、画面又は他のディスプレイを含む任意の他の装置であることができる。
【００１９】
ディスプレイユニット１２は、バックライト１４による照明に恩恵を受ける任意の技術を利用したモニタ又は画面であることができる。例えば、ディスプレイユニット１２は、バックライト１４をつないで配置した液晶ディスプレイ（ＬＣＤ）パネル等のディスプレイパネル１６を含むことができる。バックライト１４は、ディスプレイパネル１６を照明するように構成された（例えば、背後からパネル１６を通して直接照明する）発光ダイオード（light emitting diode、ＬＥＤ）などの１つ又はそれ以上の光源を含むことができる。
【００２０】
ディスプレイパネル１６は、テキスト、画像、色、グラフィックス、形状、記号、又は他の電子的に発生され及び／又は表示された証印の形式で、グラフィカルコンテンツ１８を描くように構成されることができる。ディスプレイパネル１６は、任意の所望の画素解像度、リフレッシュレート又はディスプレイパネル１６の動作を規定する他のパラメータを有することができる。図示の例では、コンテンツ１８は企業ロゴとして示されているが、これは一例であるだけであり、他のコンテンツはどのように描画されてもよいことを理解されたい。当業者であれば、示されているものの他に、ディスプレイユニット１２に使用することができるバックライト付きディスプレイの他の技術、種類及び構成を認識するであろう。
【００２１】
ディスプレイパネルに描画されるコンテンツ１８は、ディスプレイコントローラ２０によって決定、設定及び／又は管理されることができる。すなわち、ディスプレイコントローラ２０は、様々なハードウェア及びソフトウェア構成要素を備えることができる。この様々なハードウェア及びソフトウェア構成要素は、ディスプレイユニット１２によって受信され、ディスプレイユニット１２によって解釈されることができる表示信号２２を共に生成し、表示信号２２に基づいてコンテンツ１８を生成することができる。例えば、表示信号２２は、値の配列であることができ、ディスプレイユニット１２は、この値の配列を使用して、ディスプレイコントローラ２０が命令するとおりのコンテンツ１８を描画する特定の色を動作させるようにディスプレイパネル１６の画素に命令する。
【００２２】
制御システム１０はまた、バックライト１４を含む、電子装置１００の様々な構成要素の機能、特徴及び／又は動作を制御するための製品コントローラ２４を含むことができる。例えば、製品コントローラ２４は、バックライト１４をオン及びオフにする、並びに／又は、バックライト１４の輝度設定（例えば、バックライト１４の光源の強度を０％〜１００％の値に設定する）を行うように構成されたバックライト制御２５を含むことができる。例えば、バックライト１４をただ単にオン及びオフできるようにすることを望む場合は、バックライト制御２５は、電子リレーなどのスイッチング装置、金属酸化物半導体電界効果トランジスタ（metal−oxide−semiconductor field−effect transistor、ＭＯＳＦＥＴ）、又は他のスイッチを含むことができる。輝度レベルの制御を大規模に行いたい場合は、様々な出力を実現するためにトランスデューサ又は他の構成要素を含むことができる。一例では、製品コントローラ２４は、周囲光レベルに反応してバックライト１４の輝度を自動的に調節する光センサと通信する。一例では、製品コントローラ２４は、アンテナ、ラジオ、トランシーバなどの通信モジュールと（例えば、オペレーティングシステムを介して直接又は間接的に）通信し、これにより、電子装置１００がネットワーク待機モードに入るときに、バックライトのレベルが自動的に調節される。
【００２３】
製品コントローラ２４はまた、適用できる場合は、電気音響トランスデューサ、アクチュエータ、センサ、又は電子装置１００の他のハードウェア構成要素の動作を制御することができる。製品コントローラ２４は、グラフィカルユーザインタフェース（オペレーティングシステムを介して管理される）などのユーザインタフェース、又は物理的なボタン、ノブ、スイッチなどと通信し、ハードウェア構成要素に対する製品コントローラ２４を介したユーザによる制御を容易にする。例えば、ユーザインタフェースにより、ユーザはバックライト１４の輝度レベルを設定することが可能になる。
【００２４】
制御システム１０は、本明細書での様々な特徴や構成要素の議論を容易にするために、図１では高い抽象度で示しており、したがって、制限するものであると考えるべきではないことを理解すべきである。例えば、ディスプレイコントローラ２０、製品コントローラ２４などは、本明細書に記載の機能及び特徴を可能とするように構成された、任意のソフトウェア及び／又はハードウェアを収集したものであってよい。個別のエンティティとして図示されているが、特定の計算リソース及び構成要素（例えば、メモリ、プロセッサ、有線又は無線通信モジュールなど）を、ディスプレイコントローラ２０及び製品コントローラ２４によって又はその間で共有してもよく、ディスプレイコントローラ２０及び製品コントローラ２４のそれぞれが指定されたリソースを有してもよく、又は共有されたリソース及び指定されたリソースの組み合わせであってもよい。同じソフトウェアの構成要素の一部として、ディスプレイコントローラ２０及び製品コントローラ２４は、オペレーティングシステム（例えば、Ｌｉｎｕｘ（登録商標））又は電子装置１００のファームウェアなどを共有してもよく、これらを含んでもよく、又はオペレーティングシステム（例えば、Ｌｉｎｕｘ（登録商標））若しくは電子装置１００のファームウェアなどに組み込まれてもよい。
【００２５】
図示された例では、ディスプレイコントローラ２０は、ブラウザアプリケーション２６を含むことができる。このブラウザアプリケーション２６は、ディスプレイユニット１２に表示するための、（例えば、インターネット又は他のリモートネットワークロケーションへの有線又は無線データ接続を介して）遠隔データへの検索を容易にするために構成されている。ブラウザアプリケーション２６は、組み込みブラウザのためのウェブプラットフォーム（Web Platform for Embedded、ＷＰＥ）であることができる。ブラウザ２６は、ハイパーテキストマークアップ言語（Hypertext Markup Language、ＨＴＭＬ）５、ＪａｖａＳｃｒｉｐｔ（登録商標）、若しくは他の言語、規格、プロトコル、又は技術などのレンダリングコード２８を含み得、これらは、検索されたデータをレンダリングするのを助けて表示信号２２を生成する。これにより、検索されたデータは、コンテンツ１８をパネル１６に表示できるような形式、例えば、ウェブサイト、ユーザインタフェース、グラフィックス、テーブルなどといった所望の形式又は方法に変換されることができる。ディスプレイコントローラ２０はまた、ディスプレイドライバ３０を含むことができる。このディスプレイドライバ３０は、電子装置１００のオペレーティングシステムと、ディスプレイユニット１２、グラフィックカード又はグラフィックス処理装置（graphics processing unit、ＧＰＵ）などのディスプレイ関連ハードウェア構成要素とが適切に通信できるように構成されている。
【００２６】
制御システム１０は、検出論理３２を含むことができる。この検出論理３２は、表示信号２２を検索し、表示信号２２によって規定された、コンテンツ１８に対する各フレームを１つ又はそれ以上の予め設定されたデータパターン関して分析するように構成されている。表示信号２２中に予め設定されたデータパターンが検出されると、この情報を製品コントローラ２４に中継し、製品コントローラは、バックライト制御２５が検出されたパターンに対応するバックライト１４の動作モードを設定するように動作させる。すなわち、表示信号２２中の一意のデータパターンにより、コンテンツ１８に対する任意の所与のレイアウトが表されることになる。例えば、特に図１に示すコンテンツ１８の例を参照すると、表示信号２２のデータは、図に示すようにＢＯＳＥ（登録商標）ロゴを作るように指示する特別の形式をとるであろう。表示信号２２中に、コンテンツ１８が図示したロゴなど特定の図、単語、画像等を作成する予定であることを指すデータパターンを検出すると、バックライト１４は、例えばディスプレイパネル１６を明るく照明してコンテンツ１８の視認性を高める、消費電力を低減させるように薄暗くするなど、所望の方法で制御されることができる。
【００２７】
別の例として、コンテンツ１８を完全にブランク画面又は完全に黒画面としてレンダリングする命令は、表示信号２２に対するすべての配列がゼロとして実施することができる。ブランク画面又は黒画面を表示するように命令された場合、製品コントローラ２４は、検出論理３２が対応するパターン（例えば、すべてがゼロの配列）を認識したときに、バックライト１４を完全にオフにする、又は実質的に薄暗くするように構成されることができる。有利なことには、この方法では、表示信号２２がコンテンツ１８にブランク画面又は黒画面以外を表示するとき、バックライト１４をオンにするだけで、ディスプレイユニット１２の電力使用量を削減することができる。また、このことにより、ユーザにとっては審美的にも機能的にも好ましくない状況である、（特に周囲光が明るくない条件の下で）ディスプレイパネル１６が何も表示しないにもかかわらずバックライト１４からの光が視認可能であるという状況を避けることができる。
【００２８】
このように、検出論理３２は、レンダリングされる指定されたフレームを見て（例えば、すべてのフレーム）、ディスプレイユニット１２に対する１つ又はそれ以上の動作パラメータを決定することができる（例えば、バックライト１４をオン又はオフにすべきか否か）。現在のフレーム（又は現在のフレームのセット）が既知のパターン（例えば、全黒コンテンツ、無画面、又はブランク画面を示すすべてゼロ）である場合、検出されたパターンに対応するパラメータに従ってディスプレイユニット１２の動作を開始することができる（例えば、バックライト１４をディスエーブルする）。
【００２９】
検出論理３２は、例えば、図示のようにドライバ３０の一部としてブラウザアプリケーション２６の下に１つの層を配置させることができる。一例では、検出論理３２は、製品コントローラ２４、ディスプレイユニット１２など別の構成要素に含まれてもよい。一例では、ディスプレイドライバ３０は、Ｌｉｎｕｘ（登録商標）ディスプレイドライバであり、これは、既知のパターンを検出すると、システムファイルを変更する（／sysfs／インタフェースを公開するなど）ように構成されており、製品コントローラ２４がこれを読んでバックライト１４（又はディスプレイユニット１２の他の構成要素）の動作を決定する。
【００３０】
図２は、一例に従った、制御システム（例えば、制御システム１０）を動作させる方法５０を記述したフロー図である。この方法５０は、ステップ５２で開始し、このステップ５２において、表示データ、及び／又は特定のコンテンツを表示することを求める要求若しくは命令が、制御システムの１つ又はそれ以上の構成要素によって検索される。この例では、ステップ５４において、データはウェブブラウザ（例えば、ブラウザアプリケーション２６）によって検索される一方で、ステップ５６において、データは、ユーザ及び／又はオペレーティングシステムから検索される。例えば、ステップ５４は、ウェブサイト等を表示するためにインターネット上のデータを検索することを含んでもよい。ステップ５６は、上記のように、ユーザインタフェース（例えば、グラフィカルな又は物理的な）を介して、センサ（周囲光センサなど）等を介してユーザの入力を受信することを含むことができる。
【００３１】
ステップ５４及び５６は、それぞれステップ５８Ａ及び５８Ｂに進み、そこでは、所望のコンテンツ（例えば、コンテンツ１８）をレンダリングするための表示信号（例えば、信号２２）が生成される（例えば、ディスプレイコントローラ２０により）。適用可能であれば、ステップ５８Ａは、ステップ６０に進んで、グラフィックスプロセッシングユニット（ＧＰＵ）により追加のレンダリングすることができる。例えば、上述のように、ステップ５８Ａにおけるウェブブラウザに対するコンテンツは、インターネットから得られたウェブサイトのレイアウト又は他の情報を含むことができる。１つ又はそれ以上の電気音響トランスデューサを含むラウドスピーカなどの装置において、ステップ５８Ｂのコンテンツは、ユーザが音量を調節するときに現れる電気音響トランスデューサの音量の図形的表現（例えば、音量バー、グラフ、又は現在の音量レベルを示す数）などのシステム機能を含むことができる。別の例として、ステップ５８Ｂのコンテンツは、電気装置をオフにする前のカウントダウン、電子装置の製造者ブランド名又はロゴ、電子装置の埋め込みクロックによってモニタされる現在時刻の表現、電子装置の現在のステータス、又は動作モードを描写するものなどを含むことができる。
【００３２】
いずれの場合も、ステップ６２において、表示信号を一度に１フレームずつ処理して、フレーム毎のメモリマップを構築することができる。上で説明したように、メモリは、例えばメモリに記憶された１つ又はそれ以上の既知のパターンと比較することができる。フレームバッファリングは、ステップ６４で実行されてよく、表示データのストリーム中の各フレーム、又は多数のフレームを連続的に処理することを容易にする。ステップ６６では、現在のフレームが、既知のパターン（又は、２つ又はそれ以上の既知のパターンが格納されている場合はそのうちの１つ）と一致しているかどうかを判定する（例えば、検出論理３２によって）。単一のフレームの代わりに、連続する複数のフレームを既知のパターンと比較することができ、選択された数の連続するフレームに対して既知のパターンが存在する場合、対応する動作のみがトリガーされるということを理解すべきである。
【００３３】
方法５０に関して、既知のパターンは、ブランク又は黒画面（例えば、上で説明したようにすべてゼロの配列）に対応しているが、それが一例だけである場合には、他の既知のパターンも利用することができることを理解すべきである。したがって、ステップ６６で現在のフレームが既知のパターンに一致していれば（ブランク又は全黒コンテンツに対応）、方法５０はステップ６８に進んでよく、バックライト（例えばバックライト１４）が既にオンであるかどうかを判定する。バックライトが現在オンであれば、ステップ７０でオフにすることができる（例えば、表示の要求がないとき、即ち、表示のコンテンツがブランクのとき、合計消費電力を低減させる）。もちろん、上述のように、どの既知のパターンが検出されたにせよそれに対応して、（バックライトをオフにするのではなく）他のどのような操作をバックライトに行ってもよい（例えば、調光、増白、所定の輝度レベルを設定する、等）。バックライトが既にオフであれば、ステップ６８はステップ７２で終了してよい。ステップ７２は、方法５０の１つのサイクル終了であり得、この方法は表示データの１つ又はそれ以上の後続のフレームに関して、１つ又はそれ以上の後続のサイクルの前の工程から繰り返されるということを理解すべきである。
【００３４】
ステップ６６に戻ると、現在のフレーム（又は複数フレーム）のメモリマップが既知のパターン（又は複数パターン）と一致しない場合、方法５０はステップ７４に進んでよい。ステップ７４で、バックライトが現在オフかどうか判定する。バックライトがオフの場合は、ステップ７６でオンにされ、そうでなければ、この方法（又はそのサイクル）は、上記のようにステップ７２で終了することができる。このように、表示信号中で非ゼロ値となる何かがレンダリングされるとすぐに、バックライトが確実にオンになる。上で説明したように、本明細書に記載の表示信号のコンテンツの分析は、任意の既知のパターン（すべてゼロ以外）に拡張され、ディスプレイユニットの対応する動作をもたらすことができる。
【００３５】
本明細書において、いくつかの発明事例について記述し説明してきたが、当業者であれば、様々な他の手段、及び／又は、機能を実行し及び／若しくは結果を得るための構造、及び／又は、本明細書に記載の１つ又はそれ以上の利点を容易に思いつくであろう、並びに、こうした変更形態及び／又は変形形態のそれぞれは、本明細書に記載の発明事例の範囲内であるとみなすことができる。より一般的には、当業者であれば、本明細書に記載のパラメータ、寸法、材料、及び構成のすべてが例示的であること、実際のパラメータ、寸法、材料、及び／又は構成は、特定のアプリケーション又は本発明の教示が使用されるアプリケーションに依存するであろうことを容易に理解するであろう。当業者であれば、わずかなありふれた実験を行うだけで、本発明に記載されている特定の発明事例に相当する多くの等価物を認識又は確認することができるであろう。したがって、前述の実例は、単なる例として提示されたものであり、添付の特許請求の範囲及びその同等物の範囲内で、明確に記載され特許請求された以外の別のやり方で発明事例を実施することができるということを理解されたい。本開示の発明事例は、本明細書に記載の個々の特徴、システム、物品、材料、及び／又は方法を対象とする。更に、２つ又はそれ以上のこうした特徴、システム、物品、材料、及び／又は方法の任意の組む合わせは、こうした特徴、システム、物品、材料、及び／又は方法が相互に矛盾することのない場合、本開示の発明の範囲内に含まれる。
【符号の説明】
【００３６】
１０  制御システム
１２  ディスプレイユニット
１４  バックライト
１６  ディスプレイパネル
１８  グラフィカルコンテンツ
２０  ディスプレイコントローラ
２２  信号
２４  製品コントローラ
２５  バックライト制御
２６  ブラウザアプリケーション
２６  ブラウザ
２８  レンダリングコード
３０  ドライバ
３２  検出論理
１００  電子装置
【図１】
2020052384.tif 000003
【図２】
2020052384.tif 000004
【外国語明細書】
2020052384000001.pdf